(57)【要約】【課題】種々の高度で適切に推力を変化させるように設計されて推力増大を行うロケット用ノズルを備えた推進システムを提供する。【解決手段】ロケット用ノズルの推力増大は、未燃焼燃料および酸化剤をノズル内に導入してノズル内で燃焼させることにより、ノズル内への進入に先立ち燃焼する燃料および酸化剤により提供される主要推力を追加するインジェクタを取入れることにより達成される。これらの補助インジェクタは、膨張・偏向ノズルおよびプラグ・ノズルのデザインに取入れられる。膨張・偏向ノズルにおいてインジェクタは、流れ偏向器自体内、または、ノズルの広がり区画の壁部内のいずれかに設置される。プラグ・ノズルにおいてインジェクタは、中央体の前端を囲繞するノズルの外殻内、または、中央体自体内のいずれかに設置される。【選択図】図１
2009508042.tif 000002
【特許請求の範囲】
【請求項１】
燃焼区域と、スロートと、広がり壁部により形成された広がり区画と、を備えるロケット用ノズルと、
前記広がり区画内に設置され、前記スロートから出て来る燃焼ガスをコアの回りの前記広がり壁部に向けて外方へ偏向させるように拡開された輪郭を有する流れ偏向器と、
前記コア内へ液体燃料および酸化剤を噴射するように拡開された端部内に配列されたインジェクタへ前記液体燃料および酸化剤を送出する、前記流れ偏向器内の通路と、
を備える推進システム。
【請求項２】
前記ロケット用ノズルは過膨張ノズルである、請求項１記載の推進システム。
【請求項３】
前記ロケット用ノズルおよび前記流れ偏向器は共通長手軸に関して軸対称である、請求項１記載の推進システム。
【請求項４】
前記ロケット用ノズルは少なくとも約２５：１の面積比を有する、請求項１記載の推進システム。
【請求項５】
前記ロケット用ノズルは約２５：１〜約１５０：１の範囲内の面積比を有する、請求項１記載の推進システム。
【請求項６】
前記ロケット用ノズルは約６５：１〜約８５：１の範囲内の面積比を有する、請求項１記載の推進システム。
【請求項７】
液体燃料および酸化剤を送出する前記通路は、燃料および酸化剤のための分離された流路から成る、請求項１記載の推進システム。
【請求項８】
前記流れ偏向器により偏向された前記燃焼ガスは主要燃焼ガスと定義され、前記ロケット用ノズルは前記広がり区画を通る所定体積流量の前記主要燃焼ガスを生成し、
前記流れ偏向器内の前記通路は前記ロケット用ノズルに対して十分に大きくすることで、前記広がり区画における前記燃料および酸化剤の燃焼時に、前記主要燃焼ガスの前記体積流量の約２５％〜約７５％に等しい体積流量で補助燃焼ガスを生成する、請求項１記載の推進システム。
【請求項９】
前記流れ偏向器は平面である後面を有する、請求項１記載の推進システム。
【請求項１０】
前記ロケット用ノズルおよび前記流れ偏向器は共通長手軸に関して軸対称であり、
前記流れ偏向器は、平面であり前記長手軸に対して直交する後面を有する、請求項１記載の推進システム。
【請求項１１】
前記流れ偏向器は前記燃焼区域を通過するシャフトの後端に取付けられ、前記シャフトの回りの前記燃焼区域内で環状通路を形成し、該環状通路は、該環状通路および前記シャフトの組み合わせ断面積の約２０％〜約９０％を構成する断面積を有する、請求項１記載の推進システム。
【請求項１２】
前記環状通路は、前記環状通路および前記流れ偏向器の組み合わせ断面積の約２０％〜約５０％を構成する断面積を有する、請求項１１記載の推進システム。
【請求項１３】
燃焼区域と、スロートと、広がり壁部により形成された広がり区画と、を備えるロケット用ノズルと、
前記ノズル内に設置され、前記スロートから出て来る燃焼ガスを前記広がり壁部に向けて外方へ偏向させるように拡開された輪郭を前記広がり区画において備える流れ偏向器と、
前記広がり壁部内に設置され、前記広がり壁部に沿い前記広がり区画の環状領域内へ液体推進剤を噴射することで、前記環状領域の内側における前記液体推進剤の燃焼と、前記ロケット用ノズルの推力増大とを引き起こす複数のインジェクタと、
を備える推進システム。
【請求項１４】
前記ロケット用ノズルは過膨張ノズルである、請求項１３記載の推進システム。
【請求項１５】
前記ロケット用ノズルおよび流れ偏向器は共通長手軸に関して軸対称である、請求項１３記載の推進システム。
【請求項１６】
前記複数のインジェクタは、燃料および酸化剤のための分離されたインジェクタから成る、請求項１３記載の推進システム。
【請求項１７】
前記流れ偏向器により偏向された前記燃焼ガスは主要燃焼ガスと定義され、前記ロケット用ノズルは前記広がり区画を通る所定体積流量の前記主要燃焼ガスを生成し、
前記複数のインジェクタは前記ロケット用ノズルに対して十分に大きくすることで、前記広がり区画における前記液体推進剤の燃焼時に、前記主要燃焼ガスの前記体積流量の約２５％〜約７５％に等しい体積流量で補助燃焼ガスを生成する、請求項１３記載の推進システム。
【請求項１８】
後方に開く口部を有し、該口部の後方に伸びて該後方へテーパになった中央体を囲繞する外殻と、
該外殻内の複数の燃焼チャンバであって、主要推力領域において前記中央体へ主要燃焼ガスを噴射することで前方への主要推力を生成するように方向付けされた複数の燃焼チャンバと、
前記主要推力領域と連続的な補助推力領域内へ液体推進剤を噴射することで、前記補助推力領域における前記推進剤の燃焼と、前記中央体に対する前記主要燃焼ガスの圧縮による前記主要推力の増大とを引き起こすように前記外殻内に設置された複数のインジェクタと、
を備える推進システム。
【請求項１９】
前記中央体は中央軸に関して軸対称である、請求項１８記載の推進システム。
【請求項２０】
前記複数のインジェクタは燃料および酸化剤のための分離されたインジェクタから成る、請求項１８記載の推進システム。
【請求項２１】
前記複数のインジェクタは前記ロケット用ノズルに対して十分に大きくすることで、前記補助推力領域の燃焼時に、前記主要燃焼ガスの約２５％〜約７５％に等しい体積流量で補助燃焼ガスを生成する、請求項１８記載の推進システム。
【請求項２２】
前記中央体は対向した凹状湾曲部から成る輪郭を有する、請求項１８記載の推進システム。
【請求項２３】
後方へテーパになった中央体と、
主要燃焼ガスを生成し、前記中央体に対して対称的に位置決めされ、前記主要燃焼ガスを前記中央体へ案内することで前方への主要推力を生成するように方向付けされた複数の燃焼チャンバと、
前記主要推力を増大する補助燃焼ガスを生成するために、前記中央体と前記主要燃焼ガスとの間に液体推進剤を噴射するように前記中央体内に位置決めされた複数のインジェクタと、
を備える推進システム。
【請求項２４】
前記中央体は中央軸を中心に軸対称である、請求項２３記載の推進システム。
【請求項２５】
前記複数のインジェクタは燃料および酸化剤のための分離されたインジェクタから成る、請求項２３記載の推進システム。
【請求項２６】
前記複数のインジェクタは前記ロケット用ノズルに対して十分に大きく、前記補助推力領域の燃焼時に、前記主要燃焼ガスの約２５％〜約７５％に等しい体積流量で補助燃焼ガスを生成する、請求項２３記載の推進システム。
【発明の詳細な説明】
【技術分野】
【０００１】
本発明は、ロケット推進システムのためのノズル設計技術に関する。
【背景技術】
【０００２】
ロケットにより動力供給されて発射される移動体（ｖｅｈｉｃｌｅ）は、移動体内に最初に存在する大量の未燃焼燃料のため、発進の際に大きな推力を必要とする。地球の表面から発射される移動体に対して発進は典型的に海抜ゼロで行われる。移動体は、外部圧力が低く多くの場合に高真空である高々度で主要任務を実施する。その主要任務を効率的に実施するために移動体は、大きな比推力（ＩSP）、すなわち単位時間に消費される燃料重量に対する推力の大きな比率を達成しなければならない。これは、スロートにおける面積に対するノズル出口における面積の比率である面積比が大きいノズルをエンジンが有するときには、最も容易に達成される。しかし、大きな面積比は海抜ゼロでは比較的に低い推力を生成する傾向がある。なぜなら、壁圧が周囲圧力より低いときにノズル出口の近傍には逆圧力差があるからである。この逆圧力差は前記出口の近傍におけるノズル部分において、負の推力成分、すなわち、移動体の前方とは反対の方向の推力成分を生成する。この負の成分は、ノズルにより生成される全推力を低減する。
【０００３】
高真空環境における推力を低下させずに海抜ゼロにおける推力の負の成分を排除する先行技術のひとつの方法は、面積が変更可能であるノズル、すなわち、出口における面積が発射のために減少されてから、上昇中に次第に増大されるノズルを使用することである。前記変更は、移動体の高度が大きくなるにつれてノズルの輪郭、面積比および長さを調節する機能を有してノズルを構成することにより達成される。しかし、そのような特定構造はエンジン構成に対して相当な複雑さおよび重量が加わり、完全に好結果をもたらすとはいえない。なぜなら殆どの場合においてノズルは依然として、海抜ゼロにおいて真空におけるよりも低い推力を生成するからである。他の方法としては、異なる段階において異なる燃料を使用する組み合わせ型エンジンの使用が挙げられる。典型的な組み合わせは、スペースシャトル主エンジン（ＳＳＭＥ）に由来するエンジンと組み合わされたケロシン燃料エンジン、ロシア製ＲＤ−７０１エンジンのような水素燃料エンジンと組み合わされたケロシン燃料エンジン、特許文献１においてベイチェル・アールにより記述された二重燃料二重膨張器エンジン、および、特許文献２および特許文献３におけるボーンスタイン・エルの二重推力ロケット原動機である。特許文献１のエンジンは２つの推力チャンバを取入れた複雑なノズルデザインを必要とする。特許文献２および特許文献３の原動機は、燃焼チャンバにおいて、分離された持続飛行用推進剤粒子および打上げ用推進剤粒子を、粒子自体内へと挿入された点火器および点火管と共に使用することで二重推力を達成している。更なる代替案は、特許文献４においてバルマン・エムにより記述されたようにノズルの広がり区画の壁部の近傍に補助燃焼ガスを導入することである。
【０００４】
【特許文献１】米国特許第４，２２０，００１号公報
【特許文献２】米国特許第４，１３７，２８６号公報
【特許文献３】米国特許第４，２２３，６０６号公報
【特許文献４】米国特許第６，５６８，１７１号公報
【発明の開示】
【発明が解決しようとする課題】
【０００５】
本発明に対して更に関連するのは、特に、地球に戻るために又は月の軌道に入るために月の表面のような高真空環境において上昇、下降または両方を行うように設計された宇宙船である。これらの移動体は、着陸表面に接近したときに非常な程度まで減速することが必要であり、且つ、発進時には発進表面における非常に高い高度から月への着陸時の低い高度まで推力を変化させる必要がある。
【課題を解決するための手段】
【０００６】
本発明は、膨張・偏向ノズルおよびプラグ・ノズルの両方を含む種々のノズルに対して補助燃焼の要素を組み合わせることで、その様にしなければノズルが負の推力成分に直面する海抜ゼロまたは月表面のような雰囲気において推力増大を達成する推進システムにある。
【０００７】
本発明に係るひとつの推進システムは、燃焼区域と、スロートと、超音速広がり区画とを備えた超音速ノズルであって、ノズルの中心における流れ偏向器を含む膨張・偏向デザインを備える超音速ノズルをベースとする。この形式のシステムの一つの例において、流れ偏向器は、シャフトの端部に取付けられる。シャフトは、燃焼チャンバを通過して、広がり区画の内側において拡開された端部で終端する。燃焼はシャフトとノズル壁部との間の環状通路において行われ、超音速流のためのスロートは偏向器の拡開端部とノズル壁部との間に形成される。拡開端部はスロートから出て来る燃焼ガスを広がり区画の壁部に向けて外方へ案内し、壁部における圧力を高める。この例において本発明に係る推力増大は、流れ偏向器の内側の流路を備えることで達成される。この流路は、推力増大が必要とされたときに広がり区画のコア領域内へ未反応燃料および酸化剤を導入する。この様に導入されて燃料および酸化剤は、コア領域内で燃焼して補助燃焼ガスを形成する。このため、ノズルの広がり区画における圧力が高められ、流れ偏向器の拡開端部の後面に対して補助燃焼ガスにより及ぼされる圧力と、ノズル壁部に対して主要燃焼ガスの圧縮により及ぼされる付加的圧力と、により付加的推力が提供される。もはや必要とされないとき、偏向器を通る燃料および酸化剤の流れは中断され、燃料および酸化剤の両方が節約される。ゆえに、流れ偏向器は、超音速区画に対する壁部に向けて主要燃焼ガスを進路変更させることで壁部における圧力を高める手段、および、低高度において補助燃焼ガスを供給して推力を増大し超音速区画における燃焼ガス流の全てを制御する手段の両方の役割を果たす。
【０００８】
本発明に係る別の膨張・偏向推進システムにおいて推力増大は、各インジェクタを、流れ偏向器内ではなく広がり区画の壁部内に設置することにより達成される。燃料および酸化剤はこれらのインジェクタを通して導入され、主要燃焼からの燃焼ガスを囲繞する広がり区画の環状領域内で燃焼する。このシステムにおける増大推力は、主要燃焼ガスの周縁部の回りへと燃焼用液体を噴射し、主要燃焼ガスをノズル軸に向けて圧縮することにより提供される。
【０００９】
本発明に係る推力増大を伴う他の推進システムは、プラグ・ノズル、すなわち、ノズルから後方へと伸びる中央体に対して燃焼ガスが案内されるノズルである。中央体の輪郭と、中央体に対する燃焼ガスの衝突の角度とにより、前方への推力が生成される。中央体を囲繞するシュラウドは無いので、燃焼ガスの流路の外側境界は外部雰囲気によってのみ制限される。ゆえに、燃焼ガスの膨張は高度により変化するので、ノズルは高度の変化を補償することができる。増大推力を提供する特徴を組み入れる一例において、未燃焼燃料および酸化剤のためのインジェクタは、中央体の前端を囲繞する短い外殻内に設置される。これらのインジェクタを通して噴射された燃料および酸化剤は主要燃焼ガスの流路を囲繞する領域内で燃焼するので、主要燃焼ガスは中央体に対して圧縮される。別の例において、未燃焼燃料および酸化剤のためのインジェクタは、前端に向かう箇所で中央体自体内に設置される。これらのインジェクタからの燃料および酸化剤は中央流領域を形成し、そこで燃料および酸化剤は燃焼して主要燃焼ガスを中央体から変位させる。
【００１０】
本発明に係るノズルは、上記“背景技術”において述べられた理由により、宇宙船などの種々のロケット動力式移動体において有用である。
【００１１】
本発明のこれらの及び他の特徴、実施例および利点は、以下の説明から明らかとなろう。
【発明を実施するための最良の形態】
【００１２】
超音速膨張・偏向ノズルは、収束区画と、スロートと、広がり区画と、広がり区画の前端の近傍における流れ偏向器とにより形成される。ノズルは好適には、長手軸に関して鏡像輪郭を有して、または、長手軸を中心とした回転体として、長手軸に関して対称的である。本発明の好適実施例において広がり区画は、連続的曲率の軸方向輪郭を有する。“軸方向輪郭”という語句は、ノズル軸を含む平面に沿う断面により決定される広がり区画の輪郭を意味する。“連続的曲率”とは、曲率半径における急激な変化なしで且つ曲率の方向の変化なしで円滑な曲線を形成する曲率であるが、曲率半径は変化しても一定のままでもよい。これは、広がり区画の内側の燃焼ガスを不連続部で区画の壁部から分離させるように設計されたノズルのように曲率が不連続であり又は段階的に変化するノズルと別個である。“曲線”という語句は数学的意味で使用され、直線ならびに通常の曲線を包含するので、円錐状ノズルおよび双曲線状もしくは鐘状のノズルの両方を包含する。
【００１３】
本発明は、過膨張のためノズル出口の近傍の壁部から噴流を分離させる膨張・偏向ノズル、ならびに、噴流が分離しない膨張・偏向ノズルまで拡張される。本発明は特に、過膨張ノズルにおいて有用である。本明細書において“過膨張ノズル”という語句は、ノズルにおいて生ずるガス膨張が、海抜ゼロにおける周囲圧力より低いノズル出口のガス圧力を引き起こすような、大きな後記面積比を持つノズルを意味するようにロケット工学において使用される。その面積比は、スロートにおける面積に対するノズル出口における面積の比率と定義される。該ガス圧力を達成する面積比は多様であり、且つ、過膨張を生成するノズル構成は、チャンバ圧力、面積比および周囲圧力により変化する。約８００ｐｓｉａ（５．６×１０６Ｐａ）のような比較的低いチャンバ圧力で作動するノズルに対し、過膨張は７：１もの低さの面積比により生ずることができる。更に高いチャンバ圧力で作動するノズルに対し、過膨張が生ずる面積比は相当に大きい。ゆえに概略的に、本発明が過膨張ノズルに対して適用される場合、面積比は約２５：１以上、好適には約２５：１〜約１５０：１、更に好適には約６５：１〜約８５：１とすることができる。例えばＳＳＭＥ等級エンジンは、７４：１〜８０：１の範囲の面積比を有する。例えば７０：１〜７７．５：１などの７７．５：１以下の面積比が好適である。
【００１４】
本発明のノズルは概略的に、ノズルを通るガス流の方向に沿う長手軸を有する。この軸を横切るノズルの断面は、楕円形状もしくは長方形の断面のような細長い形状、ならびに、正方形もしくは円形の断面を有して形状が変化することができる。但し本発明の一つの実施例においてノズルは、長手軸の回りにおける回転体であり、すなわち、その半径が軸に沿い変化する円形断面を有している。
【００１５】
本発明に係る膨張・偏向ノズルの他の寸法もまた変化可能であるが、本発明にとり重要ではない。典型的なＳＳＭＥは、１２１インチ（３０７ｃｍ）の長さにわたり、ノズル出口における９０．７インチ（２３０ｃｍ）の直径まで増大する１０．３インチ（２４ｃｍ）のノズル・スロート直径を有する。このノズルの面積比は７７．５：１であり、且つ、ノズルの長さは１５°円錐状ノズルの８０％に等しい。本発明に従い改変される前におけるこの形式の従来ノズルの典型的な作動条件は、３５５，０００ポンド力（１，５８０，０００ニュートン）の海抜ゼロ推力、９７０ポンド／秒（４４０ｋｇ／秒）のガス流速、３６５の海抜ゼロＩｓｐ、２ｐｓｉａ（１４×１０３Ｐａ）のノズル出口圧力、４４２，０００ポンド力（１，９６６，０００ニュートン）の真空推力、および、４５５の真空Ｉｓｐである。本発明に従い補助燃焼ガスを加えると、海抜ゼロ推力は上で引用された値の殆ど３倍まで増大することができる。
【００１６】
本発明の一つの膨張・偏向ノズルにおいては、流れ偏向器は燃焼区域を通り伸びるシャフトの端部に取付けられる。他のノズルにおいては、流れ偏向器はシャフトを欠いて、ノズルの広がり区画内に全体が設置される拡開体内に完全に収容される。シャフトに対して取付けられた流れ偏向器に対し、シャフトの幅径は、ゆえに、シャフトと燃焼器の壁部との間の環状通路の断面積は広範に変化することができるが、本発明にとり重要ではない。シャフトは、広がり区画内で燃焼して補助燃焼ガスを形成する推進剤および酸化剤に対する単一もしくは複数の内部流路を収容するに十分なほど大径であることのみが必要である。殆どの場合において、環状通路の断面積が、燃焼器の全体的断面積、すなわち環状通路およびシャフトの組み合わせ断面積の約２０％〜約９０％、好適には約２０％〜約５０％を構成する場合に最適結果が達成される。スロートは種々の構成の内の任意の構成を取ることができるが、好適な構成は、流れ偏向器とノズルの対向壁部との間にスロートが形成される構成である。シャフトに取付けられた流れ偏向器の場合にスロートは、流れ偏向器の拡開端部の円周の回りに連続的に伸びる円環形状とすることができる。シャフトにより支持されない流れ偏向器に対しては、一連の個別スロートが流れ偏向器の円周の回りに配置され、偏向器をノズル壁部に対して固着するウェブのような取付け構造により分離されてもよい。
【００１７】
支持シャフトありでまたは無しで、拡開部分は、すなわち偏向器の偏向部分は、主要燃焼ガスを、ノズル軸から離間して且つ広がり区画の壁部に向けて外方へと案内する。偏向器の拡開部分はガス流を外方へと偏向し、偏向器の後面は湾曲されもしくは平坦とすることができる。偏向器はシャフトにより支持され且つ燃料および酸化剤に対する通路はシャフトを貫通して伸びる実施例において、これらの通路は、拡開部分の後面の全体にわたり配置されたインジェクタで終端する。各インジェクタは燃料および酸化剤を、偏向された主要燃焼ガスにより占有された環状領域により囲繞された中央コアへと案内する。
【００１８】
本発明の原理が膨張・偏向ノズルではなくプラグ・ノズルに対して適用される場合、主要推力を生成する燃焼ガスは種々の構成により導入することができる。一例は、中央体を囲繞する円環状スロートを備えた単一の円環状燃焼チャンバを使用することである。別の例は、中央体の回りに配置されて各々が自身のスロートを備える一連の個別的な燃焼チャンバである。更に別の例は、細長い中央体と、中央体の各側における細長い燃焼チャンバとを備えた細長いノズルである。夫々の場合において、燃料および酸化剤のためのインジェクタは好適には、中央体の回りにおいて対称的に配置される。好適実施例において中央体およびノズルは概略的に、長手軸に関して軸対称な回転体である。インジェクタに関し、一つの構成としては、燃料および酸化剤の両方に対する複数のインジェクタであって、交互の配列体、または、隣り合うが分離された列の複数のインジェクタが挙げられる。
【００１９】
本発明の推進システムは、単一推進剤および二元推進剤などの任意の公知の液体推進剤と共に使用することができる。本明細書中で用いられる二元推進剤という語句は、燃料および酸化剤の組み合わせを指している。液体燃料の例は、液体水素（Ｈ２）、ヒドラジン、メチルヒドラジン、ジメチルヒドラジン、および、ドデカン（ケロシン）である。液体酸化剤の例は、液体酸素（Ｏ２）、四酸化二窒素、および、硝酸である。インジェクタを介して供給される燃料および酸化剤の量は、絶対的な意味においても、主要燃焼ガスに対する相対的な意味においても、システムの推力要求内容、ノズルの面積比および他のパラメータ次第で、広範囲に変化することができる。殆どの場合、燃焼時に燃料および酸化剤が、主要燃焼ガスの体積流量の約２５％〜約７５％である体積流量で補助燃焼ガスを生成するときに、最適な結果が達成される。燃料および酸化剤は、それらがノズルに進入するに先立ち、共通ストリームとして組み合わされ、または、個々のインジェクタに対して供給することができる。例えば燃料および酸化剤が偏向器シャフトを貫通して供給される膨張・偏向の実施例において、燃料および酸化剤は好適には、シャフトを貫通する分離された通路内を流れ、偏向器の後面の全体にわたり配置された多数のインジェクタを通して出て来る。全ての実施例において、補助燃焼のための燃料および酸化剤に対して分離されたインジェクタを使用し、燃料および酸化剤の両方が燃焼して補助推力を提供する各インジェクタの下流の領域に対する燃料および酸化剤の接触を制限することが好適である。これにより、種々の実施例において燃料および酸化剤は、特に低温の燃料および酸化剤が使用されるなら、ノズルに対する、またはノズルの各部分に対する冷却剤の役割を果たすことができる。
【００２０】
本発明は広範囲な構成、幾何学形状および用途を包含するが、特定例を吟味すれば、全ての実施例に共通する特徴であって本発明およびその作用を全体として定義する特徴が理解される。本発明の添付図面および以下におけるその説明は一つの例に関しており、他の例は当業者であれば容易に明らかであろう。
【００２１】
図１は、本発明の過膨張式の膨張・偏向ノズル１１の長手断面であるが、縮尺通りに描かれてはいない。ノズルの構成要素区画は、燃焼チャンバ１２、流れ偏向器１３および広がり区画１４である。燃焼チャンバ１２に対する入口に、すなわちその前端には燃料および酸化剤の主要インジェクタ１５が位置され、前方とは図の左方を言う。燃焼は、燃焼チャンバ１２の環状領域１６において行われる。ノズル壁部と流れ偏向器１３との間の通路内には、スロート１８が形成される。スロートは、燃焼チャンバ１２の後端におけるチャンバの壁部と、広がり区画１４の前端における広がり区画の壁部であって流れ偏向器１３の側方輪郭における稜線１７に臨む壁部と、の間の交差部に配置される。主要インジェクタ１５により送給された燃料および酸化剤により生成された燃焼ガスはスロート１８を通り広がり区画に進入し、そこで、膨張する燃焼ガスは主要推力を生成する。ゆえに燃焼ガスは概略的に、図において左から右へと流れ、ノズル出口平面２１でノズルを離脱する。
【００２２】
全ての区画を含むノズルは、長手軸２２に関して軸対称の回転体である。このノズル内の流れ偏向器１３は、同様にその長手軸の回りにおける回転体である外側輪郭を有し、ノズル１１と同軸にノズル内に取付けられる。ノズルの外側部分に偏向器が取付けられる取付け構造は図示していないが、先行技術の膨張・偏向ノズルの取付け構造と同一にすることができ、典型的には偏向器の前端において同一にすることができる。偏向器はシャフト２３に取付けられ、シャフト２３は、燃焼チャンバ１２を通過し、広がり区画１４内へ伸びる拡開端部２４で終端する。この実施例において、偏向器の後面２５は平坦（平面的）であり、ノズルおよび偏向器の長手軸２２に対して直交している。燃焼チャンバ１２内で生成された主要燃焼ガスはスロート１８を通過し続いて拡開端部２４を通過し、そこで燃焼ガスは外方へ進路変更される。
【００２３】
図１に示された構成においてノズルは非増大モードであり、主要燃焼ガスのみがノズルを通過している。広がり区画１４の広がり壁部により、主要燃焼ガスは、外方に膨張して低い超音速マッハ数まで加速される。偏向器１３の後方縁部２６における、すなわち拡開端部２４の外方末端におけるプラントル・マイヤ膨張の結果として、軸２２に向かう内向きの付加的膨張が生ずる。偏向器の拡開端部２４の後方には、膨張する燃焼ガスの外側領域２８の圧力より相当に低い圧力における循環流のコア領域２７が伸びる。偏向器の後方縁部２６からは、膨張波３１、３２、３３、３４が広がる。
【００２４】
図２は、同一の膨張・偏向ノズル１１であるが、推力増大モードで作動しているノズルを示している。このモードにおいて補助的な燃料および酸化剤は、シャフト２３内の分離された内部通路４１、４２を通り送給され、偏向器の後面２５内の多数のインジェクタ４３を通り反射器を離れる。一旦噴射されたなら、この補助的な燃料および酸化剤は偏向器の後方におけるノズルの広がり区画１４の補助燃焼区域４４内で反応し、補助燃焼ガスを形成する。この高温の補助燃焼ガスは、他の状態では低圧となるコア２７（図１）を充填し、主要燃焼ガスの内向き膨張を低減する。補助燃焼ガス自体は、広がり区画１４の壁部に対して主要燃焼ガス４６を圧縮する膨張流動場４５を形成し、主要および補助燃焼ガスの組み合わせ流動場は、ノズルの断面積全体を充填する。推力増大は、偏向器の後面２５上へ補助燃焼ガスが押し付ける圧力の増大と、ノズルの広がり区画の内壁表面４７上における主要および補助燃焼ガスの両方の高圧と、から生じる。
【００２５】
図１および図２に示されたノズルにおいて獲得されることができる推進条件の例として、ノズルは、７５の面積比を有して構成され、燃焼区域１６における２，０００ｐｓｉａ（１３．８×１０６Ｐａ）の燃焼圧Ｐｃで作動される。図１により表された非増大モードにおいて、出口平面２１における超音速流は、１．５ｐｓｉａ（１０．３×１０３Ｐａ）の出口圧力Ｐｅまで膨張されて５．０７のマッハ数Ｍｅに到達することができる。もし増大モードにおいて十分な補助燃焼ガスが加えられて燃焼ガス総量を４０％だけ増加するなら、補助燃焼は、流れ偏向器の後面２５において１００ｐｓｉａ（６８９．５×１０３Ｐａ）の圧力Ｐｂを生成することができる。そのときノズル出口２１におけるコア領域４５内の流れは３．４ｐｓｉａ（２３．４×１０３Ｐａ）で２．７５のマッハ数Ｍｅに到達する一方、環状領域４６における流れは３．４ｐｓｉａ（２３．４×１０３Ｐａ）で４．５５のマッハ数Ｍｅに到達する。これにより、負の推力成分が排除され、推力は４０％だけ増大することができる。これらの数値は単なる一例であり、この概略的構成のノズルは広範囲な条件および推力レベルにわたり作動することができる。
【００２６】
図３は、本発明の特徴を有する第２の膨張・偏向ノズル５１の長手断面である。このノズルの各構成要素区画は、燃焼チャンバ５２、流れ偏向器５３、広がり区画５４を含み、流れ偏向器の回りに環状スロート５５を備えている。図１および図２ノズルと同様に、スロートは、流れ偏向器５３とノズルの対向壁部との夫々の輪郭により形成される。流れ偏向器５３はシャフトを欠くので、図１および図２の流れ偏向器と異なる。すなわち流れ偏向器は、図１および図２の流れ偏向器におけるシャフト２３に対応するシャフトを含まない。代わりに、この実施例における流れ偏向器５３は、スロート間隙を横断する（不図示の）ウェブ、ストラットまたは同等の取付け構造によりノズルの内側に取付けられる。図１および図２の実施例と同様にこの実施例において、ノズルおよび流れ偏向器は両者ともに（流れ偏向器に対する一切のウェブまたは他の取付け構造を除き）長手軸５６に関して軸対称の回転体であり、且つ、燃焼ガスの流れ方向は左から右に向かう。ゆえにノズルの前方は左側であり後方は右側である。
【００２７】
未燃焼の二元推進剤用のインジェクタ６１は、スロートの下流における広がり区画内に設置される。燃料６２および酸化剤６３に対して分離されたインジェクタが配備される。図３に示された構成においてノズルは非増大作動モードにあり、主要燃焼ガスのみがノズルを通過している。主要推進剤の燃焼による主要燃焼ガスの形成は、燃焼チャンバ５２内で行われる。一旦形成されると、燃焼ガスはスロート５５を通過し、流れ偏向器５３により外方へ進路変更される。次に燃焼ガスは、プラントル・マイヤ膨張の結果、内方へ膨張し、図１と同様に循環流のコア領域６４を残す。
【００２８】
図４においては、推力増大モードにおける同一のノズルが示される。このモードにおいて燃料および酸化剤は夫々、補助インジェクタ６２、６３を介して送給される。付加されたこれらの推進剤の燃焼は、広がり区画５４の壁部に直接隣接した広がり区画の環状領域である補助燃焼区域６５において行われる。この区域における補助燃焼ガスは、主要燃焼ガスにより占有された領域６６を軸５６に向けて圧縮し、コア領域６４のサイズを減少させる。ここでも、図１および図２に関して上で論じられたものと同じ作動パラメータを使用することができる。
【００２９】
図５および図６は、本発明の特徴を組み入れたプラグ・ノズル７１を示している。ノズルは、図示のようにノズルの長さに沿って長さの断面が一定であるように、長さが延びている。また、ノズルは、示されたような断面を有して、長手軸７２を中心とした回転体とすることができる。いずれの場合にもノズルの構成要素部材は、後方に開く口部７４を備えた外殻７３、テーパになった口部の後方に伸びる中央体７５、中央体７５の回りに配置された一連の燃焼チャンバ７６、および、夫々が燃料および酸化剤に対する外殻内のインジェクタ７７、７８である。燃焼チャンバ７６の各々自体はスロートを備えた収束・広がりノズルであり、燃焼全体は各燃焼チャンバの内側で行われる。この例における中央体７５の輪郭は、対向する凹状湾曲部７９、８０から成る。
【００３０】
図５には推力非増大モードが示され、その場合に各燃焼チャンバ７６からの主要燃焼ガスは、中央体７５が境界となる主要推力領域８１内を流れ、各燃焼チャンバ７６の方向と中央体７５の輪郭とにより主要推力が生成される。ここで、図１および図２と同様に、ノズルの前方は左側であり後方は右側であり、燃焼ガスは後方へと流れる。外殻７３と中央体７５との間の環状領域内には、空気吸引区域８２が存在する。
【００３１】
推力増大作動において、ノズル内の流れパターンは図６に示されたように出現する。ここで、燃料および酸化剤は外殻におけるインジェクタ７７、７８を介し、主要推力領域８１と連続的であり且つ主要推力領域を囲繞する補助推力領域８３内で燃焼し、中央体７５に対する力に拍車をかけるので、全体的推力に拍車をかける。補助推力領域８３において形成された燃焼ガスは吸引区域８２を排除し、主要燃焼ガスを中央体に対して圧縮する。
【００３２】
図７および図８には、本発明を説明する別のプラグ・ノズル９１が同様に断面で示される。このノズルは中央体９３および一連の燃焼チャンバ９４を含み、これらの燃焼チャンバは、中央体の回りに配置され、燃焼チャンバ自体から出て来る主要燃焼ガスを中央体表面と衝突させることで主要推力を生成する方向に方向付けられている。ここで再び、ノズルは、延長する長さ、および、該長さに沿って一定である断面とすることができ且つ中央体は楔状とすることができる。または、ノズルは、長手軸９２を中心とする回転体とすることができる。回転体であるノズルに対し、図中に示された断面は軸７２を通る平面であり且つ中央体は円錐体である。このノズルにおける中央体９３は長手方向において図５および図６のプラグ・ノズルほど長くないので、直線から成る断面輪郭を有して更に鈍角である。但しノズルは、中央体のテーパと、各燃焼チャンバの方向付けとにより、図５および図６のノズルと類似した様式で主要推力を生成する。図５および図６のノズルと同様に、燃焼チャンバ９４の各々自体はスロートを備えた収束・広がりノズルであり、燃焼全体は各燃焼チャンバの内側で行われる。図７には推力非増大モードが示され、主要燃焼ガス９５は後方（図において左から右）に流れ、中央体９３の直後の中央に再循環区域９６を残す。
【００３３】
図７および図８のプラグ・ノズルにおいて、中央体９３内には推進剤インジェクタ１０１、１０２が形成される。図７に示された非増大作動モードにおいて、各インジェクタは起動されず、中央体を通過してノズルを貫通して流れるガスのみが、燃焼チャンバ９４において形成される主要燃焼ガス９５である。増大作動を行うために、未燃焼燃料および酸化剤の形態の推進剤は夫々、分離されたインジェクタ１０１、１０２を通りノズル内に噴射される。噴射された燃料および酸化剤は軸９２の近傍でノズルの中央で補助流領域１０３を形成し、再循環区域９６を排除し、主要燃焼ガス９５を外方に押しやる。噴射された燃料および酸化剤はこの補助流領域１０３において燃焼し、主要燃焼ガス９５からの主要推力を増大する補助推力を提供する。
【００３４】
図５、図６、図７および図８に示されたシステムは、図１および図２に関して上で示されたのと同一の作動パラメータで作動することができる。
【００３５】
上述内容は主として、例示目的で提供される。ゆえに、本発明の新規な特徴を利用するので同様に本発明の有効範囲内に収まる更なる変形例および改変例は、熟練した推進力に関する技術者により容易に想起されよう。
【図面の簡単な説明】
【００３６】
【図１】推力非増大モードで作動している本発明に係る超音速膨張・偏向ノズルの長手軸に沿う断面図である。
【図２】ノズルが推力増大モードとされた図１のノズルの同一の断面図である。
【図３】推力非増大モードで作動している本発明に係る第２の超音速膨張・偏向ノズルの長手軸に沿う断面図である。
【図４】ノズルが推力増大モードとされた図３のノズルの同一の断面図である。
【図５】推力非増大モードで作動している本発明に係るプラグ・ノズルの長手軸に沿う断面図である。
【図６】ノズルが推力増大モードとされた図５のノズルの同一の断面図である。
【図７】推力非増大モードで作動している本発明に係る第２のプラグ・ノズルの長手軸に沿う断面図である。
【図８】ノズルが推力増大モードとされた図７のノズルの同一の断面図である。
【符号の説明】
【００３７】
Ｉｓｐ    比推力
Ｍｅ    マッハ数
Ｐｂ    圧力
Ｐｃ    燃焼圧
Ｐｅ    出口圧力
１１    過膨張式の膨張・偏向ノズル
１２    燃焼チャンバ
１３    流れ偏向器
１４    広がり区画
１５    主要インジェクタ
１６    燃焼区域
１７    稜線
１８    スロート
２１    ノズル出口平面
２２    長手軸
２３    シャフト
２４    拡開端部
２５    後面
２６    後方縁部
２７    コア領域
２８    外側領域
３１、３２、３３、３４    膨張波
４１、４２    分離された内部通路
４３    インジェクタ
４４    補助燃焼区域
４５    膨張流動場／コア領域
４６    主要燃焼ガス／環状領域
４７    内壁表面
５１    第２の膨張・偏向ノズル
５２    燃焼チャンバ
５３    流れ偏向器
５４    広がり区画
５５    環状スロート
５６    長手軸
６１    未燃焼の二元推進剤
６２    補助インジェクタ
６３    補助インジェクタ
６４    コア領域
６５    補助燃焼区域
６６    領域
７１    プラグ・ノズル
７２    長手軸
７３    外殻
７４    口部
７５    中央体
７６    燃焼チャンバ
７７、７８    インジェクタ
７９、８０    凹状湾曲部
８１    主要推力領域
８２    空気吸引区域
８３    補助推力領域
９１    プラグ・ノズル
９２    長手軸
９３    中央体
９４    燃焼チャンバ
９５    主要燃焼ガス
９６    再循環区域
１０１、１０２    推進剤インジェクタ
１０３    補助流領域
【図１】
2009508042.tif 000003
【図２】
2009508042.tif 000004
【図３】
2009508042.tif 000005
【図４】
2009508042.tif 000006
【図５】
2009508042.tif 000007
【図６】
2009508042.tif 000008
【図７】
2009508042.tif 000009
【図８】
2009508042.tif 000010
【国際調査報告】
2009508042.tif 000011